(57)【要約】【課題】畝上面に凹凸があっても隙間なくマルチフィルムを敷設できる。【解決手段】ロータリ耕耘部２を支持するロータリ機枠３の後方に、畝ＵにマルチフィルムＭを敷設するマルチフィルム敷設装置４を設けている。前記マルチフィルム敷設装置４は、フィルムロール５と、このフィルムロール５から巻き出されたマルチフィルムＭを畝Ｕに案内するガイド部材６と、マルチフィルムＭを畝Ｕ上面に押し付ける押え部材７とを備え、押え部材７は畝幅方向に間隔をおいて独立して上下動する複数の押え点８を有する。【選択図】図１
2010081844.tif 000002
【特許請求の範囲】
【請求項１】
ロータリ耕耘部（２）を支持するロータリ機枠（３）の後方に、畝（Ｕ）にマルチフィルム（Ｍ）を敷設するマルチフィルム敷設装置（４）を設けており、
前記マルチフィルム敷設装置（４）は、フィルムロール（５）と、このフィルムロール（５）から巻き出されたマルチフィルム（Ｍ）を畝（Ｕ）に案内するガイド部材（６）と、マルチフィルム（Ｍ）を畝（Ｕ）上面に押し付ける押え部材（７）とを備え、
前記押え部材（７）は畝幅方向に間隔をおいて独立して上下動する複数の押え点（８）を有することを特徴とするマルチ作業機。
【請求項２】
既存の畝（Ｕ）の左右側方を耕耘するロータリ耕耘部（２）を支持するロータリ機枠（３）の後方に、畝溝（Ｅ）をつくる畝成形器（９）と、この畝成形器（９）の後方に畝（Ｕ）にマルチフィルム（Ｍ）を敷設するマルチフィルム敷設装置（４）とを設けており、
前記マルチフィルム敷設装置（４）は、フィルムロール（５）と、このフィルムロール（５）から巻き出されたマルチフィルム（Ｍ）を畝（Ｕ）に案内するガイド部材（６）と、このガイド部材（６）で案内されるマルチフィルム（Ｍ）の左右側端を左右畝溝（Ｅ）の底に押し付けるフィルム側端押え部材（１０）と、このフィルム側端押え部材（１０）付近でマルチフィルム（Ｍ）の左右側端に土を被せる覆土器（１１）と、前記ガイド部材（６）で案内されるマルチフィルム（Ｍ）を畝（Ｕ）上面に押し付ける押え部材（７）とを備え、
前記押え部材（７）は畝幅方向に間隔をおいて独立して上下動する複数の押え点（８）を有することを特徴とするマルチ作業機。
【請求項３】
前記押え部材（７）は、左右方向の軸心（１２Ａ）廻りに回転自在な複数のローラ（１２）であることを特徴とする請求項１又は２に記載のマルチ作業機。
【請求項４】
前記押え部材（７）は、畝幅方向に多数本の毛を有するブラシ（１３）であることを特徴とする請求項１又は２に記載のマルチ作業機。
【発明の詳細な説明】
【技術分野】
【０００１】
本発明は、畝にマルチフィルムを敷設するマルチ作業機に関するものである。
【背景技術】
【０００２】
従来、トラクタに装着されて圃場を移動しながら、耕耘作業、畝立て（畝成形）作業及びマルチフィルムの敷設作業を一工程で同時に行うようにしたマルチ作業機が知られている。
このマルチ作業機は、トラクタの後部に装着されるロータリ耕耘部を支持するロータリ機枠の後方に、畝にマルチフィルムを敷設するマルチフィルム敷設装置を設けており、このマルチフィルム敷設装置は、フィルムロールと、このフィルムロールから巻き出されたマルチフィルムを畝に案内するガイド部材と、マルチフィルムを畝上面に押し付ける押えローラとを備えている。（特許文献１参照）。
【０００３】
また、このマルチ作業機は、サトウキビ栽培において地上の茎を収穫した後に地中で再生を始めた株を肥培管理して次の収穫に導く「株出し」作業時に、雑草予防や保温効果などのためにサトウキビの株が残った畝にマルチフィルムを敷設する際に使用されていた。
【特許文献１】特開２００６−１９７８２０号公報
【発明の開示】
【発明が解決しようとする課題】
【０００４】
しかしながら、上記従来のマルチ作業機は、押えローラによってマルチフィルムとの接触面全体を押圧するため、畝に切り株などが残っていた場合には切り株周辺をしっかり押さえきれず隙間ができるという問題点があった。
本発明は、このような点に鑑みて、畝上面に凹凸があっても隙間なくマルチフィルムを敷設するマルチフィルム敷設装置を備えたマルチ作業機を提供することを目的とする。
【課題を解決するための手段】
【０００５】
前記目的を達成するために、本発明は、以下の技術的手段を採用した。
第１に、ロータリ耕耘部２を支持するロータリ機枠３の後方に、畝ＵにマルチフィルムＭを敷設するマルチフィルム敷設装置４を設けており、前記マルチフィルム敷設装置４は、フィルムロール５と、このフィルムロール５から巻き出されたマルチフィルムＭを畝Ｕに案内するガイド部材６と、マルチフィルムＭを畝Ｕ上面に押し付ける押え部材７とを備え、前記押え部材７は畝幅方向に間隔をおいて独立して上下動する複数の押え点８を有することを特徴とする。
【０００６】
第２に、既存の畝Ｕの左右側方を耕耘するロータリ耕耘部２を支持するロータリ機枠３の後方に、畝溝Ｅをつくる畝成形器９と、この畝成形器９の後方に畝ＵにマルチフィルムＭを敷設するマルチフィルム敷設装置４とを設けており、前記マルチフィルム敷設装置４は、フィルムロール５と、このフィルムロール５から巻き出されたマルチフィルムＭを畝Ｕに案内するガイド部材６と、このガイド部材６で案内されるマルチフィルムＭの左右側端を左右畝溝Ｅの底に押し付けるフィルム側端押え部材１０と、このフィルム側端押え部材１０付近でマルチフィルムＭの左右側端に土を被せる覆土器１１と、前記ガイド部材６で案内されるマルチフィルムＭを畝Ｕ上面に押し付ける押え部材７とを備え、前記押え部材７は畝幅方向に間隔をおいて独立して上下動する複数の押え点８を有することを特徴とする。
【０００７】
第３に、前記押え部材７は、左右方向の軸心１２Ａ廻りに回転自在な複数のローラ１２であることを特徴とする。
第４に、前記押え部材７は、畝幅方向に多数本の毛を有するブラシ１３であることを特徴とする。
これにより、切り株Ｋなどの凹凸がある畝Ｕに対して、畝幅方向に間隔をおいた複数の押え点８によって切り株Ｋ周辺にもマルチフィルムＭを押し付けることができ、隙間なくマルチフィルムＭを敷設できる。
【０００８】
また、左右方向の軸心１２Ａ廻りに回転自在な複数のローラ１２がそれぞれ独立して上下動可能であるため、畝Ｕの上面に切り株Ｋなどの凹凸があったとしても、隙間なくマルチフィルムＭを押し付けることができる。
さらに、ブラシ１３は、畝巾方向に多数本の毛を設けているため、畝Ｕの上面にどのような凹凸があったとしても、隙間なくマルチフィルムＭを押し付けることができる。
【発明の効果】
【０００９】
本発明によると、畝上面に凹凸があっても隙間なくマルチフィルムを敷設できる。
【発明を実施するための最良の形態】
【００１０】
以下、本発明の実施の形態を図面を参照して説明する。
図１、２には、本発明の第１実施形態に係るマルチ作業機１が示されている。
マルチ作業機１は、トラクタ（図示省略）の後部に三点リンクヒッチ機構（または２点ヒッチ機構等のヒッチ機構）を介して装着され、圃場を移動しながら、ロータリ耕耘作業と、畝成形作業と、マルチフィルムＭの敷設作業とを一工程で同時に行うものである。したがって、マルチ作業機１は、ロータリ耕耘装置１４、畝成形器９及びマルチフィルム敷設装置４を備えている。
【００１１】
ロータリ耕耘装置１４は、ロータリ機枠３、ロータリ耕耘部２及びロータリカバー１５を備えている。
ロータリ機枠３は、左右方向中央部のギヤケース１６から左右両側にサポートアーム１８を突設し、この左右サポートアーム１８の外端に伝動ケース１７を備えており、前記左右各伝動ケース１７の下部に左右内向きの爪軸２０を設け、左右各爪軸２０に多数の爪２１を取り付けてロータリ耕耘部２を構成している。このロータリ耕耘部２は、軸方向中央に間隔をおいて左右一対形成されている。
【００１２】
ロータリカバー１５は、ロータリ耕耘部２の上方を覆う上部カバー２２と、ロータリ耕耘部２の上部の左右両側を覆う側部カバー２３とを有し、側部カバー２３は上部カバー２２に一体形成されている。また、ロータリカバー１５は、左右の固定ブラケット２４によってロータリ機枠３の左右サポートアーム１８下面に取り付けられている。
固定ブラケット２４の後端には枠体２５が固定され、この枠体２５に畝成形器９とマルチフィルム敷設装置４とが設けられている。
なお、枠体２５は、矩形枠２６、横枠材２７及び上枠材２８からなる。矩形枠２６は平面視矩形状であり、その一辺がロータリカバー１５の上部カバー２２の後方側にこの上部カバー２２の後縁に沿って左右方向に配置されている。また、横枠材２７は、左右方向に延びる側面視六角形状の棒状であり、矩形枠２６の後下方に左右連結材を介して固定されている。さらに、上枠材２８は、側面視Ｌ字形の棒状であり、矩形枠２６後部の左右中央から上方へ延出したのち後方へ延出するように固定されている。
【００１３】
枠体２５の下面には横枠３１が設けられ、この横枠３１には左右一対のガイド板２９が設けられている。このガイド板２９は、左右ロータリ耕耘部２の後方側に配置され、後方に放てきされる土を受けると共に耕耘された土を左右外方に案内する。この左右ガイド板２９によって左右一対の畝溝Ｅを形成して、その畝溝Ｅ間に畝Ｕを形成する畝成形器９を構成している。
また、畝成形器９は、ガイド板２９の左右両側後方に、畝Ｕの左右両側を転動してロータリ耕耘部２の耕深を決定するゲージ輪３４を配置しており、このゲージ輪３４は、互いに枢支された複数のアームを介して、枠体２５に取り付けられている。
【００１４】
マルチフィルム敷設装置４は、マルチフィルムＭが巻回されたフィルムロール５と、このフィルムロール５を左右方向の軸心廻りに回転自在に支持するロールホルダ３５と、フィルムロール５から巻き出されたマルチフィルムＭを畝Ｕに案内するガイド部材６と、このガイド部材６で案内されるマルチフィルムＭの左右側端を左右畝溝Ｅの底に押し付けてマルチフィルムＭの巻き出しを助けるフィルム側端押え部材（押え輪）１０と、この押さえ輪１０の付近でマルチフィルムＭの左右側端に土を被せる左右一対の覆土器１１と、ガイド部材６で案内されるマルチフィルムＭを押し付けて畝Ｕの上面にマルチフィルムＭを沿わせる押え部材７とを備えている。
【００１５】
なお、第１実施形態におけるガイド部材６は、フィルムロール５と押え部材７との間であってマルチフィルムＭの上面側及び下面側に配置され、それぞれが左右方向に延びる棒状である。また、フィルムロール５、ロールホルダ３５、ガイド部材６、押え輪１０及び覆土器１１は、それぞれ支持体を介して枠体２５に取り付けられている。
押え部材７は、畝Ｕの上面にマルチフィルムＭを押し付けるものであって、畝幅方向（左右方向）に間隔をおいて、畝Ｕ上面の凹凸に沿ってそれぞれが独立して上下動する複数の押え点８（マルチフィルムＭと接触し下方へ押圧する点）を有する。
【００１６】
図２に示すように、第１実施形態における押え部材７は、左右方向の軸心１２Ａによって回転自在に枢支された複数のローラ１２である。各ローラ１２は、側面視凸状の略円盤であり、左右内方側の小円部１２Ｂの半径が左右外方側の大円部１２Ｃの半径よりも小さくなっている。また、各ローラ１２における軸心１２Ａを挿通する孔１２Ｄの直径は軸心１２Ａの直径よりも大きく、各ローラ１２ごとに独立して上下動できる（図２中の１点鎖線及び２点鎖線参照）。さらに、各ローラ１２は、ローラ１２自身の重さにより軸心１２Ａは孔１２Ｄの上寄りに位置するため、常に畝Ｕの上面に接触しマルチフィルムＭを畝Ｕに密着させることができる。
【００１７】
したがって、複数のローラ１２からなる押え部材７は、畝巾方向において間隔をおいて上下位置の異なる押え点８を複数持つこととなる。なお、各ローラ１２の間に円い板材１２Ｅが挟まれており、ローラ１２同士の摩擦を減らし、各ローラ１２が独立して上下動しやすくなっている。
また、ローラ１２は、上枠材２８の後端に連結体３６を介して支持されている。この連結体３６は、上下調節部３６Ａ、縦軸３６Ｂ、左右調節部３６Ｃ、横軸３６Ｄ及び前後調節部３６Ｅからなる。
【００１８】
上下調節部３６Ａは、その前端が上枠材２８の後端に回動自在に枢支され、縦軸３６Ｂに対して上下方向に摺動可能である。したがって、畝Ｕの高さに合わせて、ローラ１２の上下位置を調節し、ボルト等の固定部材（図示省略）によって位置を固定できる。
左右調節部３６Ｃは、縦軸３６Ｂに直交し左右方向に延びるように固定された横軸３６Ｄに対して左右方向摺動可能である。したがって、畝Ｕの幅に合わせて、ローラ１２の左右位置を調節し、ボルト等の固定部材（図示省略）によって位置を固定できる。また、左右調節部３６Ｃの下端には、後方へ延出する連結材を介してローラ１２が回転自在に枢支されている。
【００１９】
前後調節部３６Ｅは、長手方向を有する板状であって、その前端が上枠材２８の前後方向中途部の上面に回動自在に枢支されている。また、前後調節部３６Ｅは、その後端に複数（図１においては、２つ）の切欠部３６Ｆを有し、この切欠部３６Ｆを上下調節部３６Ａの前後方向中途部の下面に固定されたピンに係合させて、ローラ１２の前後位置を調節することができる。
なお、連結体３６は、横枠材２７の左右方向中央から後方へ延出していてもよい。
続いて、マルチ作業機１の使用態様を説明する。
【００２０】
サトウキビ栽培にて地上の茎を収穫した後は既存の畝Ｕがかなり崩れており、畝Ｕ中の株を肥培管理して次の収穫に導くための「株出し」作業時には、トラクタにマルチ作業機１を装着し圃場を移動しながら、耕耘作業、畝成形作業及びマルチフィルム敷設作業を行う。
耕耘作業では、既存の畝Ｕの左右側方の土をロータリ耕耘部２にて耕耘（反転）して、畝Ｕから長く伸びている根を切断し、株に光と酸素を供給し発芽を促す。
次に、畝成形作業では、ロータリ耕耘部２で耕耘された土が畝成形器９のガイド板２９によって受け止められると共に左右に案内され、左右畝溝Ｅを形成することにより中央に畝Ｕが成形される。
【００２１】
そして、マルチフィルム敷設作業では、雑草予防や保温効果などのために、フィルムロール５からガイド部材６で張力を与えながら巻き出し、畝成形器９によって成形された畝Ｕに対して、押え輪１０にて畝溝Ｅに踏圧しマルチフィルムＭの左右側端を被せ、覆土器１１によりマルチフィルムＭの左右側端に土を被せると同時に、複数のローラ１２にて畝Ｕの上面にマルチフィルムＭを押し付ける。
その際、複数のローラ１２によって畝巾方向において間隔をおいて上下位置の異なる複数の押え点８を形成でき、サトウキビの切り株Ｋなどの凹凸がある畝Ｕ上面に対しても、その凹凸に沿ってマルチフィルムＭを押し付けることができ、隙間なくマルチフィルムＭを敷設できる。
【００２２】
また、ローラ１２は、畝Ｕの大きさ、形状に伴って、ローラ１２の上下、前後及び左右位置を調節でき、畝Ｕに合わせてマルチフィルムＭを押し付けることができ、より隙間なくマルチフィルムＭを敷設できる。
図３〜５に本発明の第２実施形態に係るマルチ作業機１を示す。
第２実施形態のマルチ作業機１が第１実施形態と最も異なるところは、押え部材７がブラシ１３となっている点である。
図５に示すように、ブラシ１３は、畝幅方向（左右方向）に多数本の毛を有しており、ブラシ１３の左右方向の長さは既存の畝Ｕの幅と略同一である。また、ブラシ１３は、毛を束ねるチャンネル部１３Ａと、ポリプロピレンなどのプラスチック素材やシダ等からなる毛部１３Ｂとからなる。さらに、ブラシ１３は、左右方向に毛部１３Ｂをまとめたものを前後に２つ重ね、チャンネル部１３Ａの板材にて前後から挟み込みビス等にて固定することで、厚みを持たせている。
【００２３】
ブラシ１３の毛部１３Ｂは、押圧され湾曲した際にも、マルチフィルムＭを畝Ｕの上面に押し付けるのに十分な固さ・長さを持っており、毛部１３ＢがマルチフィルムＭを畝Ｕに押し付けることで、ブラシ１３は、畝巾方向において間隔をおいて上下位置の異なる押え点８を多数持つこととなる。したがって、ブラシ１３によって、サトウキビの切り株Ｋなどの凹凸がある畝Ｕ上面に対しても、常にその凹凸にマルチフィルムＭを密着させることができ、隙間なくマルチフィルムＭを敷設できる。
図４に示すように、ブラシ１３を取り付ける連結体３６は、横枠材２７の左右方向中央に取り付けられていてもよい。この連結体３６は、横枠材２７の左右方向中央から後方へ延出する前後調節部３６Ｅと、前後調節部３６Ｅの後端から左方へ延出する左右調節部３６Ｃと、左右調節部３６Ｃの中途部から下方へ延出する上下調節部３６Ａとからなる。なお、上下調節部３６Ａは、下方へ延出したのち前方へ延出してブラシ１３のチャンネル部１３Ａを後方から支持しており、連結体３６は、全体として側面視コ字状に形成されている。
【００２４】
各調節部３６Ｅ、３６Ｃ、３６Ａは、それぞれの中途部（上下調節部３６Ａは下方へ延出する部分の中途部）にボルト等の固定部材を有しており、前後、左右及び上下位置を調節し、調節した位置で固定することができる。したがって、畝Ｕの大きさ、形状に合わせてブラシ１３の前後、左右及び上下位置を調節することで、ブラシ１３を畝Ｕの凹凸に沿ってマルチフィルムＭを押し付けることができ、より隙間なくマルチフィルムＭを敷設できる。
図４、５に示すように、第２実施形態における２つのガイド部材６は、ともにマルチフィルムＭの上面側に配置されている。また、ガイド部材６は、横ガイド部材６Ａと、左右一対の縦ガイド部材６Ｂからなる。
【００２５】
横ガイド部材６Ａは、ブラシ１３のチャンネル部１３Ａの前面上端に取り付けられ、チャンネル部１３Ａの左右側端からさらに左右外方へ突出し左右方向に延びる棒状である。また、横ガイド部材６Ａは、チャンネル部１３Ａ左右側端の外方付近で後方へやや屈曲しており、マルチフィルムＭの張力を保ちつつ後方へ案内しやすい形状となっている。
左右の縦ガイド部材６Ｂは、ブラシ１３のチャンネル部１３Ａ左右側端の後面に、上下方向に摺動可能であって固定部材により位置固定可能に設けられ、背面視ハ字状に形成されている。また、縦ガイド部材６Ｂの先端は後方へ屈曲しており、マルチフィルムＭをスムーズに後方の押え輪１０へ案内できる。
【００２６】
なお、本発明は、前述した実施形態に限定されるものではない。マルチ作業機１等の各構成または全体の構造、形状、寸法などは、本発明の趣旨に沿って適宜変更することができる。
ローラ１２は、外周面が平坦なものであってもよく、外周面に山部と谷部とを畝幅方向に交互に形成したものであってもよい。
ブラシ１３は、左右方向の軸心を中心に放射状に延びる多数本の毛を備えたロールブラシであってもよい。
【００２７】
また、ブラシ１３は、日常使用する座敷箒等のブラシであってもよい。
【図面の簡単な説明】
【００２８】
【図１】本発明に係るマルチ作業機の全体側面図。
【図２】本発明の第１実施形態に係るロールの正面図。
【図３】本発明の第２実施形態に係るマルチフィルム敷設装置の拡大側面図。
【図４】マルチフィルム敷設装置の斜視図。
【図５】ブラシ周辺の斜視図。
【符号の説明】
【００２９】
１      マルチ作業機
２      ロータリ耕耘部
３      ロータリ機枠
４      マルチフィルム敷設装置
５      フィルムロール
６      ガイド部材
７      押え部材
８      押え点
９      畝成形器
１０    フィルム側端押え部材（押え輪）
１１    覆土器
１２    ローラ
１２Ａ  軸心
１３    ブラシ
Ｕ      畝
Ｍ      マルチフィルム
Ｅ      畝溝
【図１】
2010081844.tif 000003
【図２】
2010081844.tif 000004
【図３】
2010081844.tif 000005
【図４】
2010081844.tif 000006
【図５】
2010081844.tif 000007